【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
第１搬送路および第２搬送路を通じて現像剤を搬送する搬送装置であって、
前記第１搬送路に配置され、第１の方向に延びる第１の回転軸線の周りに回転可能な第１搬送部材であって、前記現像剤を前記第１の方向に沿って搬送し、駆動伝達部を有する第１搬送部材と、
前記第２搬送路に配置され、前記第１の方向と交差する第２の方向に延びる第２の回転軸線の周りに回転可能な第２搬送部材であって、前記現像剤を前記第２の方向に沿って搬送し、駆動受け部を有する第２搬送部材と、
前記第２搬送部材を回転可能に支持する軸受部と、
を有し、
前記駆動伝達部と前記駆動受け部は、係合し、前記第１搬送部材の駆動を前記第２搬送部材に伝達しながら、前記第１搬送部材から前記第２搬送部材へと現像剤を受け渡し可能とされ、
前記第１の方向と前記第２の方向とに垂直な第３の方向から見て、前記第１の方向において、前記駆動伝達部と前記駆動受け部とが前記第２の回転軸線の一方側で係合し、前記軸受部が前記第２の回転軸線の他方側に配置されていることを特徴とする搬送装置。
【請求項２】
前記第１搬送部材は、前記第１の方向に沿った搬送方向に前記現像剤を搬送し、
前記軸受部は、前記第２搬送部材が前記第１の方向に動くことを規制する第１の部分を含み、
前記搬送方向において、前記第１の部分は前記第２の回転軸線の下流側に配置されていることを特徴とする請求項１に記載の搬送装置。
【請求項３】
第１搬送路および第２搬送路を通じて現像剤を搬送する搬送装置であって、
前記第１搬送路に配置され、第１の方向に延びる第１の回転軸線の周りに回転可能な第１搬送部材であって、前記現像剤を前記第１の方向に沿った搬送方向に向けて搬送し、駆動伝達部を有する第１搬送部材と、
前記第２搬送路に配置され、前記第１の方向と交差する第２の方向に延びる第２の回転軸線の周りに回転可能な第２搬送部材であって、前記現像剤を前記第２の方向に沿って搬送し、駆動受け部を有する第２搬送部材と、
前記第２搬送部材を回転可能に支持する軸受部であって、前記第２搬送部材が前記第１の方向に向けて動くことを規制する第１の部分を含む軸受部と、
を有し、
前記駆動伝達部と前記駆動受け部は、係合し、前記第１搬送部材の駆動を前記第２搬送部材に伝達しながら、前記第１搬送部材から前記第２搬送部材へと現像剤を受け渡し可能とされ、
前記搬送方向において、前記第１の部分は前記第２の回転軸線の下流側に配置されていることを特徴とする搬送装置。
【請求項４】
前記第１の方向と前記第２の方向とに交差する方向に延びる壁面を備え、
前記壁面は、前記壁面と前記第１搬送部材の間の距離が、前記搬送方向の下流側で、前記搬送方向の上流側よりも長くなるように設けられていることを特徴とする請求項２または３に記載の搬送装置。
【請求項５】
前記第１搬送部材は、前記第１の方向に沿った搬送方向に前記現像剤を搬送し、
前記軸受部は、前記第２搬送部材が前記第１の方向に動くことを規制する第１の部分を含み、
前記搬送方向において、前記第１の部分は前記第２の回転軸線の上流側に配置されていることを特徴とする請求項１に記載の搬送装置。 
【請求項６】
第１搬送路および第２搬送路を通じて現像剤を搬送する搬送装置であって、
前記第１搬送路に配置され、第１の方向に延びる第１の回転軸線の周りに回転可能な第１搬送部材であって、前記現像剤を前記第１の方向に沿った搬送方向に向けて搬送し、駆動伝達部を有する第１搬送部材と、
前記第２搬送路に配置され、前記第１の方向と交差する第２の方向に延びる第２の回転軸線の周りに回転可能な第２搬送部材であって、前記現像剤を前記第２の方向に沿って搬送し、駆動受け部を有する第２搬送部材と、
前記第２搬送部材を回転可能に支持する軸受部であって、前記第２搬送部材が前記第１の方向に向けて動くことを規制する第１の部分を含む軸受部と、
を有し、
前記駆動伝達部と前記駆動受け部は、係合し、前記第１搬送部材の駆動を前記第２搬送部材に伝達しながら、前記第１搬送部材から前記第２搬送部材へと現像剤を受け渡し可能とされ、
前記搬送方向において、前記第１の部分は前記第２の回転軸線の上流側に配置されていることを特徴とする搬送装置。
【請求項７】
前記第１の方向と前記第２の方向とに交差する方向に延びる壁面を備え、
前記壁面は、前記壁面と前記第１搬送部材の間の距離が、前記搬送方向の上流側で、前記搬送方向の下流側よりも長くなるように設けられていることを特徴とする請求項５または６に記載の搬送装置。
【請求項８】
前記第２の方向において、前記壁面と前記軸受部の位置が少なくとも一部において重なることを特徴とする請求項４または７に記載の搬送装置。
【請求項９】
前記第１の方向において、前記壁面と前記駆動伝達部の位置が少なくとも一部において重なることを特徴とする請求項４、７、８のいずれか１項に記載の搬送装置。
【請求項１０】
前記第２搬送部材は前記現像剤を搬送するための螺旋羽根を有し、
前記第２の方向において、前記軸受部は前記螺旋羽根と前記駆動受け部の間に配置されていることを特徴とする請求項１乃至９のいずれか１項に記載の搬送装置。
【請求項１１】
静電潜像が形成される感光体と、
請求項１乃至１０のいずれか１項に記載の搬送装置と、
を備え、
前記第１搬送部材と前記第２搬送部材が、前記感光体から除去された前記現像剤を搬送するように構成されていることを特徴とするカートリッジ。
【手続補正２】
【補正対象書類名】明細書
【補正対象項目名】発明の名称
【補正方法】変更
【補正の内容】
【発明の名称】搬送装置及びカートリッジ
【手続補正３】
【補正対象書類名】明細書
【補正対象項目名】０００１
【補正方法】変更
【補正の内容】
【０００１】
本発明は、現像剤を搬送する搬送装置及びこれを備えたカートリッジに関し、電子写真画像形成方式を用いて記録媒体に画像を形成する電子写真画像形成装置に好適なものである。電子写真画像形成装置の例としては、例えば、電子写真複写機、電子写真プリンタ（ＬＥＤプリンタ、レーザビームプリンタ等）、ファクシミリ装置及びワードプロセッサ等が含まれる。
【手続補正４】
【補正対象書類名】明細書
【補正対象項目名】００１０
【補正方法】変更
【補正の内容】
【００１０】
上記目的を達成するため、本発明の一態様に係る搬送装置は、第１搬送路および第２搬送路を通じて現像剤を搬送する搬送装置であって、前記第１搬送路に配置され、第１の方向に延びる第１の回転軸線の周りに回転可能な第１搬送部材であって、前記現像剤を前記第１の方向に沿って搬送し、駆動伝達部を有する第１搬送部材と、前記第２搬送路に配置され、前記第１の方向と交差する第２の方向に延びる第２の回転軸線の周りに回転可能な第２搬送部材であって、前記現像剤を前記第２の方向に沿って搬送し、駆動受け部を有する第２搬送部材と、前記第２搬送部材を回転可能に支持する軸受部と、を有し、前記駆動伝達部と前記駆動受け部は、係合し、前記第１搬送部材の駆動を前記第２搬送部材に伝達しながら、前記第１搬送部材から前記第２搬送部材へと現像剤を受け渡し可能とされ、前記第１の方向と前記第２の方向とに垂直な第３の方向から見て、前記第１の方向において、前記駆動伝達部と前記駆動受け部とが前記第２の回転軸線の一方側で係合し、前記軸受部が前記第２の回転軸線の他方側に配置されていることを特徴とする。
本発明の他の態様に係る搬送装置は、第１搬送路および第２搬送路を通じて現像剤を搬送する搬送装置であって、前記第１搬送路に配置され、第１の方向に延びる第１の回転軸線の周りに回転可能な第１搬送部材であって、前記現像剤を前記第１の方向に沿った搬送方向に向けて搬送し、駆動伝達部を有する第１搬送部材と、前記第２搬送路に配置され、前記第１の方向と交差する第２の方向に延びる第２の回転軸線の周りに回転可能な第２搬送部材であって、前記現像剤を前記第２の方向に沿って搬送し、駆動受け部を有する第２搬送部材と、前記第２搬送部材を回転可能に支持する軸受部であって、前記第２搬送部材が前記第１の方向に向けて動くことを規制する第１の部分を含む軸受部と、を有し、前記駆動伝達部と前記駆動受け部は、係合し、前記第１搬送部材の駆動を前記第２搬送部材に伝達しながら、前記第１搬送部材から前記第２搬送部材へと現像剤を受け渡し可能とされ、前記搬送方向において、前記第１の部分は前記第２の回転軸線の下流側に配置されていることを特徴とする。
本発明のさらに他の態様に係る搬送装置は、第１搬送路および第２搬送路を通じて現像剤を搬送する搬送装置であって、前記第１搬送路に配置され、第１の方向に延びる第１の回転軸線の周りに回転可能な第１搬送部材であって、前記現像剤を前記第１の方向に沿った搬送方向に向けて搬送し、駆動伝達部を有する第１搬送部材と、前記第２搬送路に配置され、前記第１の方向と交差する第２の方向に延びる第２の回転軸線の周りに回転可能な第２搬送部材であって、前記現像剤を前記第２の方向に沿って搬送し、駆動受け部を有する第２搬送部材と、前記第２搬送部材を回転可能に支持する軸受部であって、前記第２搬送部材が前記第１の方向に向けて動くことを規制する第１の部分を含む軸受部と、を有し、前記駆動伝達部と前記駆動受け部は、係合し、前記第１搬送部材の駆動を前記第２搬送部材に伝達しながら、前記第１搬送部材から前記第２搬送部材へと現像剤を受け渡し可能とされ、前記搬送方向において、前記第１の部分は前記第２の回転軸線の上流側に配置されていることを特徴とする。
【手続補正５】
【補正対象書類名】明細書
【補正対象項目名】００８８
【補正方法】変更
【補正の内容】
【００８８】
７９ａ・・第１搬送路、７９ｂ・・第２搬送路、８６・・第１搬送部材（第１スクリュー）、８６ａ・・駆動伝達部、８７・・第２搬送部材（第２スクリュー）、８７ａ・・駆動受け部、８７ｂ１・・被駆動軸、７１ｌ，７４ｌ・・軸受部、第１の部分（第１軸受部）、７１ｐ，７４ｐ・・壁面（第１壁面）、Ｌ１・・第１回転軸線（第１軸線）、Ｌ２・・第２回転軸線（第２軸線）